(57)【要約】【課題】  蓋体の開閉動作に関し良好な操作性の確保及び動作の円滑化を図る。【解決手段】  外筐２に対して傾斜されて閉塞位置と傾斜位置との間で移動され外筐に対して直線動作されて傾斜位置と開放位置の間で移動される蓋体９と、蓋体を傾斜位置と開放位置の間でスライド自在に支持すると共に蓋体を開放位置にロックするスライドベース８と、スライドベースを初期位置と傾動位置の間で傾動自在に支持するチルトベース７とを設け、閉塞位置において蓋体を押圧操作したときに、スライドベースが傾動位置まで移動されると共に蓋体が傾斜位置を通って外筐の内部に収納され開放位置まで移動されてロックされ、開放位置において蓋体を押圧操作したときに、ロックが解除されて蓋体が傾斜位置を通って閉塞位置まで移動されると共にスライドベースが傾動位置から初期位置まで移動されるようにした。【選択図】        図１１
2011007944.tif 000002
【特許請求の範囲】
【請求項１】
撮像装置の外筐に対して傾斜されて閉塞位置と傾斜位置との間で移動され前記外筐に対して直線動作されて前記傾斜位置と開放位置の間で移動されると共に押圧操作部と被ロック部を有する蓋体と、
前記蓋体を前記傾斜位置と前記開放位置の間でスライド自在に支持すると共に前記被ロック部に係合して前記蓋体を前記開放位置にロックするロック部を有するスライドベースと、
前記スライドベースを初期位置と傾動位置の間で傾動自在に支持するチルトベースとを備え、
前記蓋体が前記閉塞位置に位置されているときに前記スライドベースが前記初期位置に位置され、
前記閉塞位置において前記蓋体の押圧操作部を所定の押圧方向へ押圧操作したときに、前記スライドベースが前記傾動位置まで移動されると共に前記蓋体が前記傾斜位置を通って前記外筐の内部に収納され前記開放位置まで移動されてロックされ、
前記開放位置において前記蓋体の押圧操作部を前記押圧方向へ押圧操作したときに、前記ロックが解除されて前記蓋体が前記傾斜位置を通って前記閉塞位置まで移動されると共に前記スライドベースが前記傾動位置から前記初期位置まで移動されるようにした
蓋体の開閉機構。
【請求項２】
前記スライドベースを前記傾動位置から前記初期位置へ向けて付勢する第１の付勢バネと、
前記蓋体を前記開放位置から前記閉塞位置へ向けて付勢する第２の付勢バネとを設け、
前記第２の付勢バネの弾力を前記第１の付勢バネの弾力より大きくした
請求項１に記載の蓋体の開閉機構。
【請求項３】
前記スライドベースに前記ロック部を有するカム溝を形成し、
前記蓋体に前記カム溝に摺動自在に係合するカム係合部を有するカムアームを設け、
前記カムアームを前記カム係合部が前記カム溝に押し付けられる方向への付勢力を有する板バネによって形成した
請求項１に記載の蓋体の開閉機構。
【請求項４】
前記蓋体と前記スライドベースを連結しそれぞれ前記スライドベースに回動自在に支持された複数の回動アームを設け、
前記複数の回動アームを互いに回動可能に連結し、
前記蓋体の押圧操作部を前記押圧方向へ押圧操作したときに前記複数の回動アームが同期して前記スライドベースに対して回動されるようにした
請求項１に記載の蓋体の開閉機構。
【請求項５】
前記蓋体と前記スライドベースを連結しそれぞれ前記スライドベースに回動自在に支持された複数の回動アームを設け、
前記複数の回動アームを互いに回動可能に連結し、
前記チルトベースを前記外筐に固定し、
前記チルトベースと前記スライドベースの間に前記第１の付勢バネを支持し、
前記チルトベースと前記回動アームの間に前記第２の付勢バネを支持するようにした
請求項２に記載の蓋体の開閉機構。
【請求項６】
前記スライドベースに、前記押圧操作部が押圧操作され前記蓋体がスライドベースに対してスライドされるときに前記押圧操作部の経路となる操作用凹部を形成した
請求項１に記載の蓋体の開閉機構。
【請求項７】
内部に所定の各部が配置された外筐と、
前記外筐に対して傾斜されて閉塞位置と傾斜位置の間で移動され前記外筐に対して直線動作されて前記傾斜位置と開放位置の間で移動されると共に押圧操作部と被ロック部を有する蓋体と、
前記蓋体を前記傾斜位置と前記開放位置の間でスライド自在に支持すると共に前記被ロック部に係合して前記蓋体を前記開放位置にロックするロック部を有するスライドベースと、
前記スライドベースを初期位置と傾動位置の間で傾動自在に支持するチルトベースとを備え、
前記蓋体が前記閉塞位置に位置されているときに前記スライドベースが前記初期位置に位置され、
前記閉塞位置において前記蓋体の押圧操作部を所定の押圧方向へ押圧操作したときに、前記スライドベースが前記傾動位置まで移動されると共に前記蓋体が前記傾斜位置を通って前記外筐の内部に収納され前記開放位置まで移動されてロックされ、
前記開放位置において前記蓋体の押圧操作部を前記押圧方向へ押圧操作したときに、前記ロックが解除されて前記蓋体が前記傾斜位置を通って前記閉塞位置まで移動されると共に前記スライドベースが前記傾動位置から前記初期位置まで移動されるようにした
撮像装置。
【発明の詳細な説明】
【技術分野】
【０００１】
本発明は蓋体の開閉機構及び撮像装置についての技術分野に関する。詳しくは、蓋体を所定の方向へ押圧操作して蓋体を外筐の内外で移動させて開閉し蓋体の開閉動作に関し良好な操作性の確保及び動作の円滑化を図る技術分野に関する。
【背景技術】
【０００２】
ビデオカメラやスチルカメラ等の各種の撮像装置には、開閉可能な蓋体が設けられているものがある。
【０００３】
このような撮像装置は、蓋体が外筐の前面においてスライド可能とされ、外筐の前面に配置された撮影レンズや発光部を開閉するようにされたものがある（例えば、特許文献１参照）。
【０００４】
【特許文献１】特開２００９−９８４１５号公報
【発明の開示】
【発明が解決しようとする課題】
【０００５】
ところが、特許文献１に記載された撮像装置にあっては、蓋体が外筐の外面側に位置され、蓋体をスライドさせるためのスライド機構が外筐の内部に配置されているため、蓋体とスライド機構の間に外筐の前面部が介在されている。
【０００６】
従って、蓋体のスライド動作時に、蓋体とスライド機構の両者が外筐の前面部に摺動可能な状態とされているため、蓋体のスライド動作の円滑化が阻害されるおそれがある。
【０００７】
また、蓋体のスライド動作においては、例えば、蓋体の上面を下方へ押圧して開放し、蓋体の下面を上方へ押圧して閉塞すると言う２方向への押圧操作を必要とし、一般に、上方と下方への押圧操作を異なる指で行うことになる。
【０００８】
従って、使用者においては、開放時と閉塞時で異なる方向及び異なる指での押圧操作が必要となり、押圧操作に関し良好な操作性が確保されているとは言い難い。
【０００９】
そこで、本発明蓋体の開閉機構及び撮像装置は、上記した問題点を克服し、蓋体の開閉動作に関し良好な操作性の確保及び動作の円滑化を図ることを課題とする。
【課題を解決するための手段】
【００１０】
蓋体の開閉機構は、上記した課題を解決するために、撮像装置の外筐に対して傾斜されて閉塞位置と傾斜位置との間で移動され前記外筐に対して直線動作されて前記傾斜位置と開放位置の間で移動されると共に押圧操作部と被ロック部を有する蓋体と、前記蓋体を前記傾斜位置と前記開放位置の間でスライド自在に支持すると共に前記被ロック部に係合して前記蓋体を前記開放位置にロックするロック部を有するスライドベースと、前記スライドベースを初期位置と傾動位置の間で傾動自在に支持するチルトベースとを備え、前記蓋体が前記閉塞位置に位置されているときに前記スライドベースが前記初期位置に位置され、前記閉塞位置において前記蓋体の押圧操作部を所定の押圧方向へ押圧操作したときに、前記スライドベースが前記傾動位置まで移動されると共に前記蓋体が前記傾斜位置を通って前記外筐の内部に収納され前記開放位置まで移動されてロックされ、前記開放位置において前記蓋体の押圧操作部を前記押圧方向へ押圧操作したときに、前記ロックが解除されて前記蓋体が前記傾斜位置を通って前記閉塞位置まで移動されると共に前記スライドベースが前記傾動位置から前記初期位置まで移動されるようにしたものである。
【００１１】
従って、蓋体の開閉機構にあっては、閉塞位置から開閉位置及び開閉位置から閉塞位置の何れの動作時にも同一方向へ押圧操作されて蓋体が外筐の内外で移動される。
【００１２】
上記した蓋体の開閉機構においては、前記スライドベースを前記傾動位置から前記初期位置へ向けて付勢する第１の付勢バネと、前記蓋体を前記開放位置から前記閉塞位置へ向けて付勢する第２の付勢バネとを設け、前記第２の付勢バネの弾力を前記第１の付勢バネの弾力より大きくすることが望ましい。
【００１３】
第２の付勢バネの弾力を第１の付勢バネの弾力より大きくすることにより、蓋体及びスライドベースの傾動動作と蓋体のスライド動作とが各別に行われる。
【００１４】
上記した蓋体の開閉機構においては、前記スライドベースに前記ロック部を有するカム溝を形成し、前記蓋体に前記カム溝に摺動自在に係合するカム係合部を有するカムアームを設け、前記カムアームを前記カム係合部が前記カム溝に押し付けられる方向への付勢力を有する板バネによって形成することが望ましい。
【００１５】
カムアームをカム係合部がカム溝に押し付けられる方向への付勢力を有する板バネによって形成することにより、カム係合部がカム溝に押し付けられた状態で摺動される。
【００１６】
上記した蓋体の開閉機構においては、前記蓋体と前記スライドベースを連結しそれぞれ前記スライドベースに回動自在に支持された複数の回動アームを設け、前記複数の回動アームを互いに回動可能に連結し、前記蓋体の押圧操作部を前記押圧方向へ押圧操作したときに前記複数の回動アームが同期して前記スライドベースに対して回動されるようにすることが望ましい。
【００１７】
スライドベースに回動自在に支持された複数の回動アームを互いに回動可能に連結することにより、押圧操作部に対する押圧力が回動アームに均等にかかり易い。
【００１８】
上記した蓋体の開閉機構においては、前記蓋体と前記スライドベースを連結しそれぞれ前記スライドベースに回動自在に支持された複数の回動アームを設け、前記複数の回動アームを互いに回動可能に連結し、前記チルトベースを前記外筐に固定し、前記チルトベースと前記スライドベースの間に前記第１の付勢バネを支持し、前記チルトベースと前記回動アームの間に前記第２の付勢バネを支持するようにすることが望ましい。
【００１９】
蓋体の開閉機構を上記のような構成にすることにより、簡素な機構によってスライドベース及び蓋体が動作される。
【００２０】
上記した蓋体の開閉機構においては、前記スライドベースに、前記押圧操作部が押圧操作され前記蓋体がスライドベースに対してスライドされるときに前記押圧操作部の経路となる操作用凹部を形成することが望ましい。
【００２１】
押圧操作部の経路となる操作用凹部を形成することにより、指を操作用凹部に挿入した状態で操作することが可能となる。
【００２２】
撮像装置は、上記した課題を解決するために、内部に所定の各部が配置された外筐と、前記外筐に対して傾斜されて閉塞位置と傾斜位置の間で移動され前記外筐に対して直線動作されて前記傾斜位置と開放位置の間で移動されると共に押圧操作部と被ロック部を有する蓋体と、前記蓋体を前記傾斜位置と前記開放位置の間でスライド自在に支持すると共に前記被ロック部に係合して前記蓋体を前記開放位置にロックするロック部を有するスライドベースと、前記スライドベースを初期位置と傾動位置の間で傾動自在に支持するチルトベースとを備え、前記蓋体が前記閉塞位置に位置されているときに前記スライドベースが前記初期位置に位置され、前記閉塞位置において前記蓋体の押圧操作部を所定の押圧方向へ押圧操作したときに、前記スライドベースが前記傾動位置まで移動されると共に前記蓋体が前記傾斜位置を通って前記外筐の内部に収納され前記開放位置まで移動されてロックされ、前記開放位置において前記蓋体の押圧操作部を前記押圧方向へ押圧操作したときに、前記ロックが解除されて前記蓋体が前記傾斜位置を通って前記閉塞位置まで移動されると共に前記スライドベースが前記傾動位置から前記初期位置まで移動されるようにしたものである。
【００２３】
従って、撮像装置にあっては、閉塞位置から開閉位置及び開閉位置から閉塞位置の何れの動作時にも同一方向へ押圧操作されて蓋体が外筐の内外で移動される。
【発明の効果】
【００２４】
本発明蓋体の開閉機構は、撮像装置の外筐に対して傾斜されて閉塞位置と傾斜位置との間で移動され前記外筐に対して直線動作されて前記傾斜位置と開放位置の間で移動されると共に押圧操作部と被ロック部を有する蓋体と、前記蓋体を前記傾斜位置と前記開放位置の間でスライド自在に支持すると共に前記被ロック部に係合して前記蓋体を前記開放位置にロックするロック部を有するスライドベースと、前記スライドベースを初期位置と傾動位置の間で傾動自在に支持するチルトベースとを備え、前記蓋体が前記閉塞位置に位置されているときに前記スライドベースが前記初期位置に位置され、前記閉塞位置において前記蓋体の押圧操作部を所定の押圧方向へ押圧操作したときに、前記スライドベースが前記傾動位置まで移動されると共に前記蓋体が前記傾斜位置を通って前記外筐の内部に収納され前記開放位置まで移動されてロックされ、前記開放位置において前記蓋体の押圧操作部を前記押圧方向へ押圧操作したときに、前記ロックが解除されて前記蓋体が前記傾斜位置を通って前記閉塞位置まで移動されると共に前記スライドベースが前記傾動位置から前記初期位置まで移動されるようにしている。
【００２５】
従って、蓋体が閉塞位置から開放位置へ移動されて外筐の内部に収納されるため、蓋体とスライドベースの間に外筐の前面部が存在せず、蓋体の動作の円滑化を図ることができる。
【００２６】
また、蓋体の開放位置と閉塞位置の間での移動を常に押圧操作部に対する一方向への押圧操作によって行うことができるため、押圧操作に関し良好な操作性を確保することができる。
【００２７】
請求項２に記載した発明にあっては、前記スライドベースを前記傾動位置から前記初期位置へ向けて付勢する第１の付勢バネと、前記蓋体を前記開放位置から前記閉塞位置へ向けて付勢する第２の付勢バネとを設け、前記第２の付勢バネの弾力を前記第１の付勢バネの弾力より大きくしている。
【００２８】
従って、簡素な機構により、スライドベース及び蓋体の動作の後に蓋体のスライド動作を確実に行うことができる。
【００２９】
請求項３に記載した発明にあっては、前記スライドベースに前記ロック部を有するカム溝を形成し、前記蓋体に前記カム溝に摺動自在に係合するカム係合部を有するカムアームを設け、前記カムアームを前記カム係合部が前記カム溝に押し付けられる方向への付勢力を有する板バネによって形成している。
【００３０】
従って、カム係合部のカム溝からの脱落を防止することができる。
【００３１】
請求項４に記載した発明にあっては、前記蓋体と前記スライドベースを連結しそれぞれ前記スライドベースに回動自在に支持された複数の回動アームを設け、前記複数の回動アームを互いに回動可能に連結し、前記蓋体の押圧操作部を前記押圧方向へ押圧操作したときに前記複数の回動アームが同期して前記スライドベースに対して回動されるようにしている。
【００３２】
従って、押圧操作部が蓋体の何れの位置に形成されていても、押圧操作部に対する押圧力が回動アームに均等にかかり易く、スライドベース及び蓋体の円滑な動作を確保することができる。
【００３３】
請求項５に記載した発明にあっては、前記蓋体と前記スライドベースを連結しそれぞれ前記スライドベースに回動自在に支持された複数の回動アームを設け、前記複数の回動アームを互いに回動可能に連結し、前記チルトベースを前記外筐に固定し、前記チルトベースと前記スライドベースの間に前記第１の付勢バネを支持し、前記チルトベースと前記回動アームの間に前記第２の付勢バネを支持するようにしている。
【００３４】
従って、簡素な機構によってスライドベース及び蓋体の動作を円滑かつ確実に行うことができる。
【００３５】
請求項６に記載した発明にあっては、前記スライドベースに、前記押圧操作部が押圧操作され前記蓋体がスライドベースに対してスライドされるときに前記押圧操作部の経路となる操作用凹部を形成している。
【００３６】
従って、指を操作用凹部に挿入した状態で操作することができ、押圧操作部に対する押圧操作時における良好な操作性を確保することができる。
【００３７】
本発明撮像装置は、内部に所定の各部が配置された外筐と、前記外筐に対して傾斜されて閉塞位置と傾斜位置の間で移動され前記外筐に対して直線動作されて前記傾斜位置と開放位置の間で移動されると共に押圧操作部と被ロック部を有する蓋体と、前記蓋体を前記傾斜位置と前記開放位置の間でスライド自在に支持すると共に前記被ロック部に係合して前記蓋体を前記開放位置にロックするロック部を有するスライドベースと、前記スライドベースを初期位置と傾動位置の間で傾動自在に支持するチルトベースとを備え、前記蓋体が前記閉塞位置に位置されているときに前記スライドベースが前記初期位置に位置され、前記閉塞位置において前記蓋体の押圧操作部を所定の押圧方向へ押圧操作したときに、前記スライドベースが前記傾動位置まで移動されると共に前記蓋体が前記傾斜位置を通って前記外筐の内部に収納され前記開放位置まで移動されてロックされ、前記開放位置において前記蓋体の押圧操作部を前記押圧方向へ押圧操作したときに、前記ロックが解除されて前記蓋体が前記傾斜位置を通って前記閉塞位置まで移動されると共に前記スライドベースが前記傾動位置から前記初期位置まで移動されるようにしている。
【００３８】
従って、蓋体が閉塞位置から開放位置へ移動されて外筐の内部に収納されるため、蓋体とスライドベースの間に外筐の前面部が存在せず、蓋体の動作の円滑化を図ることができる。
【００３９】
また、蓋体の開放位置と閉塞位置の間での移動を常に押圧操作部に対する一方向への押圧操作によって行うことができるため、押圧操作に関し良好な操作性を確保することができる。
【発明を実施するための最良の形態】
【００４０】
以下に、本発明の実施の形態を添付図面に従って説明する。
【００４１】
以下に示した実施の形態は、本発明撮像装置をデジタルスチルカメラに適用したものであり、本発明蓋体の開閉機構をこのデジタルスチルカメラに備えられた蓋体の開閉機構に適用したものである。
【００４２】
尚、本発明の適用範囲はデジタルスチルカメラ及びデジタルスチルカメラに備えられた蓋体の開閉機構に限られることはない。本発明は、例えば、ビデオカメラや銀塩カメラ等の他の撮像装置、携帯電話に付属された撮像装置、パーソナルコンピューター等の情報処理装置や通信端末装置やゲーム機器に付属された各種の撮像装置及びこれらの各種の撮像装置に備えられた蓋体の開閉機構に広く適用することができる。
【００４３】
以下の説明にあっては、スチルカメラの撮影時において撮影者（使用者）から見た方向で前後上下左右の方向を示すものとする。従って、被写体側を前方とし、撮影者側を後方とする。
【００４４】
尚、以下に示す前後上下左右の方向は説明の便宜上のものであり、本発明の実施に関しては、これらの方向に限定されることはない。
【００４５】
［全体構成］
撮像装置（デジタルスチルカメラ）１は、例えば、前後に扁平な箱状に形成され、外筐２の内部に所要の各部が配置されている（図１参照）。外筐２の上面には撮影用釦３が配置され、外筐２の後面にはズーム摘子等の図示しない各種の操作部や図示しない表示パネル等が配置されている。
【００４６】
外筐２はフロントキャビネット４とリアパネル５が前後で結合されて成る（図２参照）。フロントキャビネット４の前面部における上端部には配置用開口４ａが形成されている。
【００４７】
［開閉機構の構成］
外筐２の内部には開閉機構６が配置されている（図２及び図３参照）。開閉機構６はチルトベース７とスライドベース８と蓋体９を有している。
【００４８】
チルトベース７は上下方向を向く天面部１０と該天面部１０の左右両側縁からそれぞれ下方へ突出された支持面部１１、１１とから成る。
【００４９】
天面部１０の下面にはバネ掛け突部１０ａが設けられている。
【００５０】
支持面部１１、１１の外面にはそれぞれ支持軸１１ａ、１１ａが設けられている。支持面部１１、１１の前縁は、それぞれ下方へ行くに従って後方へ変位するように緩やかに傾斜された角度規制縁１１ｂ、１１ｂとして形成されている。
【００５１】
一方の支持面部１１の上端部にはバネ配置孔１１ｃが形成され、該バネ配置孔１１ｃの後側にバネ掛け孔１１ｄが形成されている。
【００５２】
スライドベース８は前後方向を向くベース面部１２と該ベース面部１２の左右両側縁からそれぞれ後方へ突出された左側面部１３、右側面部１４とベース面部１２の上縁から後方へ突出された上面部１５とから成る。
【００５３】
ベース面部１２の上側の半部は蓋体９によって開閉される被開閉部１６として設けられている。被開閉部１６には複数の配置孔１６ａ、１６ａ、・・・が形成され、該配置孔１６ａ、１６ａ、・・・にはそれぞれ図示しない撮影レンズや発光部等が配置される。被開閉部１６の左右方向における一端部、例えば、右端部には上下に延びる操作用凹部１６ｂが形成され、該操作用凹部１６ｂは前方及び上方に開口されている。
【００５４】
ベース面部１２の下側の半部には上下に延びる支持孔１２ａ、１２ａが左右に離隔して形成されている。ベース面部１２には支持孔１２ａ、１２ａの間の位置に後方へ突出された支持ピン１２ｂ、１２ｂが左右に離隔して設けられている。
【００５５】
左側面部１３には上下に延びる案内孔１３ａが形成されている。左側面部１３の上端部には後方へ突出された被支持突部１３ｂが設けられている。被支持突部１３ｂには支持孔１３ｃが形成されている。
【００５６】
右側面部１４には上下に延びる案内孔１４ａが形成されている。右側面部１４の上端部には後方へ突出された被支持突部１４ｂが設けられている。被支持突部１４ｂには支持孔１４ｃが形成されている。右側面部１４の上端部にはバネ支持孔１４ｄが形成されている。
【００５７】
右側面部１４の下側の半部には後方へ突出されたカム形成面部１７が設けられている。カム形成面部１７の外面にはカム溝１８が形成されている。
【００５８】
カム溝１８は、図３及び図４に示すように、第１の上側傾斜部１９、第１の垂直部２０、第１の下側傾斜部２１、第２の下側傾斜部２２、第２の垂直部２３及び第２の上側傾斜部２４が順に連続して環状に形成されている。第１の上側傾斜部１９は下方へ行くに従って後方へ変位するように傾斜され、第１の垂直部２０は上下に延び、第１の下側傾斜部２１は上方へ行くに従って前方へ変位するように傾斜されている。第２の下側傾斜部２２は下方へ行くに従って前方へ変位するように傾斜され、第２の垂直部２３は上下に延び、第２の上側傾斜部２４は上方へ行くに従って後方へ変位するように傾斜されている。
【００５９】
第１の垂直部２０の下端寄りの位置、第１の下側傾斜部２１の上端寄りの位置、第２の下側傾斜部２２の下端寄りの位置及び第２の上側傾斜部２４の上端寄りの位置にはそれぞれ戻り防止用段差１８ａ、１８ａ、・・・が形成されている。戻り防止用段差１８ａ、１８ａ、・・・によって、第１の垂直部２０は下端寄りの部分が下端部より外側に位置され、第１の下側傾斜部２１は上端寄りの部分が上端部より外側に位置され、第２の下側傾斜部２２は下端寄りの部分が下端部より外側に位置され、第２の上側傾斜部２４は上端寄りの部分が上端部より外側に位置されている。
【００６０】
第１の上側傾斜部１９の上端部は上側ロック部１９ａとして形成され、第１の下側傾斜部２１の上端部は下側ロック部２１ａとして形成されている。
【００６１】
スライドベース８は、図２及び図３に示すように、左側面部１３と右側面部１４にそれぞれ形成された支持孔１３ｃ、１４ｃに、それぞれ支持面部１１、１１の支持軸１１ａ、１１ａが内側から挿入されてチルトベース７に傾動自在（回動自在）に支持される。
【００６２】
スライドベース８がチルトベース７に支持された状態において、チルトベース７の支持面部１１に形成されたバネ掛け孔１１ｄとスライドベース８の右側面部１４に形成されたバネ支持孔１４ｃとの間に第１の付勢バネ２５が支持される。第１の付勢バネ２５は支持面部１１に形成されたバネ配置孔１１ｃに配置される。第１の付勢バネ２５は、例えば、引張コイルバネである。従って、スライドベース８は第１の付勢バネ２５によってチルトベース７に近付く方向、即ち、後方へ付勢される。
【００６３】
蓋体９は前後方向を向く開閉面部２６と該開閉面部２６の左右両側縁からそれぞれ後方へ突出された被支持面部２７、２７と開閉面部２６の上縁から後方へ突出された折り曲げ縁２８とを有している。
【００６４】
開閉面部２６には下縁から下方へ突出された被支持突部２６ａ、２６ａが設けられ、該被支持突部２６ａ、２６ａは左右に離隔して位置されている。被支持突部２６ａ、２６ａにはそれぞれ後方へ突出された連結軸２６ｂ、２６ｂが設けられている。
【００６５】
被支持面部２７、２７の内面にはそれぞれ上下に離隔して二つずつの被支持ピン２７ａ、２７ａ、・・・が設けられている。
【００６６】
一方の被支持面部２７の外面にはカムアーム２９が回動自在に支持されている。カムアーム２９はＬ字状に形成され上端部が回動支点とされ、下端部における内面にカム係合部２９ａを有している。カムアーム２９は左右方向への弾性を有する板バネによって形成されている。
【００６７】
折り曲げ縁２８の左右方向における一端部、例えば、右端部には後方へ突出された押圧操作部２８ａが設けられている。押圧操作部２８ａはスライドベース８のベース面部１２に形成された操作用凹部１６ｂに対応して位置される。
【００６８】
蓋体９は被支持面部２７、２７の被支持ピン２７ａ、２７ａ、・・・がそれぞれ左側面部１３と右側面部１４にそれぞれ形成された案内孔１３ａ、１４ａに外側から挿入されてスライドベース８にスライド自在に支持される。蓋体９がスライドベース８に支持された状態において、カムアーム２９のカム係合部２９ａがスライドベース８のカム溝１８に摺動自在に係合される。
【００６９】
蓋体９は連結軸２６ｂ、２６ｂがそれぞれスライドベース８の支持孔１２ａ、１２ａに前方から挿入されて貫通される。
【００７０】
スライドベース８の後面には回動アーム３０、３１がそれぞれ回動自在に支持されている。回動アーム３０、３１には、長手方向における略中央部にそれぞれ軸支持孔３０ａ、３１ａが形成され、長手方向における一端部にそれぞれ長手方向に延びる連結孔３０ｂ、３１ｂが形成されている。
【００７１】
回動アーム３０の長手方向における他端部には後方へ突出された連結用ピン３０ｃが設けられている。
【００７２】
回動アーム３１の長手方向における他端部には長手方向に延びる連結用孔３１ｃが形成されている。回動アーム３１の連結孔３１ｂの近傍の位置にはバネ掛け部３１ｄが設けられている。
【００７３】
回動アーム３０と回動アーム３１は連結用ピン３０ｃが連結用孔３１ｃに挿入されて摺動自在に係合された状態で連結される。
【００７４】
回動アーム３０、３１はベース面部１２の支持ピン１２ｂ、１２ｂがそれぞれ軸支持孔３０ｂ、３１ｂに挿入されてスライドベース８に回動自在に支持される。回動アーム３０、３１は互いに連結されているため、同期して回動される。
【００７５】
回動アーム３０、３１がスライドベース８に支持された状態において、連結孔３０ｂ、３１ｂにそれぞれスライドベース８の支持孔１２ａ、１２ａに挿入された蓋体９の連結軸２６ｂ、２６ｂがそれぞれ挿入され、蓋体９と回動アーム３０、３１が連結される。連結軸２６ｂ、２６ｂはそれぞれ連結孔３０ｂ、３１ｂに摺動自在に係合される。従って、蓋体９がスライドベース８に対して上下方向へスライドされると、回動アーム３０、３１が同期して回動される。
【００７６】
回動アーム３０、３１がスライドベース８に支持された状態において、天面部１０に設けられたバネ掛け突部１０ａと回動アーム３１に設けられたバネ掛け部３１ｄとの間に第２の付勢バネ３２が支持される。第２の付勢バネ３２は、例えば、引張コイルバネである。従って、回動アーム３０、３１は第２の付勢バネ３２によって連結孔３０ｂと連結孔３１ｂ側の各端部が互いに近付く方向へ付勢される。
【００７７】
第２の付勢バネ３２の弾力は第１の付勢バネ２５の弾力より大きくされている。
【００７８】
蓋体９は第１の付勢バネ２５によって後方へ付勢されたスライドベース８に支持されると共に第２の付勢バネ３２によって付勢された回動アーム３１に支持されているため、スライドベース８を介して第１の付勢バネ２５によって後方へ付勢されると共に回動アーム３１を介して第２の付勢バネ３２によって上方付勢されている。
【００７９】
［開閉機構の動作］
以下に、開閉機構６の動作について説明する（図５乃至図１７参照）。
【００８０】
先ず、蓋体９が閉塞位置に保持されている状態について説明する。
【００８１】
蓋体９はスライドベース８を介して第１の付勢バネ２５によって後方へ付勢されると共に回動アーム３１を介して第２の付勢バネ３２によって上方付勢され、閉塞位置に保持されている。
【００８２】
閉塞位置においては、図５に示すように、蓋体９は移動方向における上端に位置され、開閉面部２６が垂直な状態とされ、スライドベース８の被開閉部１６が閉塞されている（図１参照）。従って、被開閉部１６の配置孔１６ａ、１６ａ、・・・に配置された撮影レンズや発光部等が閉塞されている。
【００８３】
蓋体９のカムアーム２９に設けられたカム係合部２９ａは、スライドベース８のカム溝１８に形成された上側ロック部１９ａに係合され、蓋体９が閉塞位置にロックされている。
【００８４】
蓋体９は移動方向における上端に位置されているため、被支持ピン２７ａ、２７ａ、・・・はそれぞれスライドベース８の案内孔１３ａ、１４ａにおける上端側に係合されている。
【００８５】
蓋体９の開閉面部２６が垂直な状態とされているため、蓋体９を支持するスライドベース８のベース面部１２も垂直な状態とされ初期位置に保持されている。
【００８６】
蓋体９が上方の移動端に位置されているため、連結軸２６ｂ、２６ｂがそれぞれスライドベース８のベース面部１２に形成された支持孔１２ａ、１２ａの上端に係合されている。従って、連結軸２６ｂ、２６ｂに連結された回動アーム３０、３１はＶ字状を為すように保持されている（図６参照）。
【００８７】
次に、蓋体９の閉塞位置から開放位置への動作について説明する（図７乃至図１３参照）。
【００８８】
蓋体９が閉塞位置に保持されている状態において、蓋体９の押圧操作部２８ａが下方へ押圧されると、押圧操作部２８ａがスライドベース８のチルトベース１０に対する回動支点である支持軸１１ａから一定の距離だけ離隔して位置されているため、スライドベース８及び該スライドベース８に支持された蓋体９に回転モーメントが発生する。従って、スライドベース８及び蓋体９が一体となってチルトベース７に対して支持軸１１ａ、１１ａを支点として第１の付勢バネ２５の付勢力に抗して回動（傾動）される（図７及び図８参照）。
【００８９】
上記のようにスライドベース８及び蓋体９が傾動されたときには、スライドベース８のベース面部１２の内面がチルトベース７の支持面部１１、１１に形成された角度規制縁１１ｂ、１１ｂに接触され、スライドベース８と蓋体９がそれぞれ傾動位置と傾斜位置に保持される。
【００９０】
このとき第１の付勢バネ２５が第２の付勢バネ３２より弾力が小さくされているため、第１の付勢バネ２５が伸長され、第２の付勢バネ３２はほとんど伸長されず、スライドベース８が傾動位置まで傾動され、蓋体９が傾斜位置まで傾動される。
【００９１】
蓋体９が傾斜位置まで傾動されると、蓋体９の下端部が外筐２の前面部より内側に位置される。
【００９２】
引き続き蓋体９の押圧操作部２８ａが下方へ押圧されると、蓋体９が第２の付勢バネ３２の付勢力に抗してスライドベース８に対してスライドされ下方へ移動されていく（図９及び図１０参照）。蓋体９のスライドベース８に対する移動は、被支持ピン２７ａ、２７ａ、・・・がそれぞれスライドベース８の案内孔１３ａ、１４ａに案内されて行われる。
【００９３】
蓋体９が下方へ移動されていくと、蓋体９は外筐２の内部へ収納されていく。このとき蓋体９はフロントキャビネット４の前面部における内面に略沿って下方へ移動されていく。
【００９４】
蓋体９が下方へ移動されていくと、押圧操作部２８ａは被開閉部１６の操作用凹部１６ｂに沿って下方へ移動されていく。また、蓋体９の下方への移動に伴って連結軸２６ｂ、２６ｂがベース面部１２の支持孔１２ａ、１２ａに案内されて下方へ移動されていく。従って、回動アーム３０、３１が支持ピン１２ｂ、１２ｂを支点として同期して回動される。
【００９５】
蓋体９の下方への移動により、カム係合部２９ａがカム溝１８を第１の上側傾斜部１９から第１の垂直部２０の下端部まで摺動される。このときカムアーム２９は板バネとされカム係合部２９ａがカム溝１８に押し付けられる方向へ付勢されているため、カム係合部２９ａがカム溝１８から外れることがない。また、カム溝１８には戻り防止用段差１８ａ、１８ａ、・・・が形成されているため、カム係合部２９ａが所定の経路と反対の経路に移動されることがない。
【００９６】
カム係合部２９ａがカム溝１８を摺動されるときには、カムアーム２９はカム係合部２９ａのカム溝１８に対する係合位置に応じて被支持面部２７に対して回動される。
【００９７】
カム係合部２９ａが第１の垂直部２０の下端部まで摺動されたときには、押圧操作部２８ａが外筐２のフロントキャビネット４に形成された配置用開口４ａの下端部に位置されており、これ以上押圧操作部２８ａを下方へ押圧することができない状態とされている。
【００９８】
続いて蓋体９の押圧操作部２８ａに対する下方への押圧が解除されると、蓋体９が第２の付勢バネ３２の付勢力によってスライドベース８に対してスライドされ上方へ移動される（図１１及び図１２参照）。
【００９９】
蓋体９が上方へ移動されると、カム係合部２９ａがカム溝１８を第１の垂直部２０の下端部から第１の下側傾斜部２１の上端部まで摺動され、下側ロック部２１ａにロックされる。従って、蓋体９の上方への移動が停止されて開放位置に保持される。このとき蓋体９は移動範囲における再下端より稍上方まで移動されているため、押圧操作部２８ａが配置用開口４ａの下縁より稍上側に位置され、押圧操作部２８ａを下方へ押圧可能な状態とされている。
【０１００】
蓋体９が開放位置に保持された状態においては、連結軸２６ｂ、２６ｂが支持孔１２ａ、１２ａの下端寄りの位置に係合され、連結軸２６ｂ、２６ｂに連結された回動アーム３０、３１は逆Ｖ字状を為すように保持される（図１３参照）。
【０１０１】
蓋体９が開放位置に保持された状態においては、被開閉部１６が開放され配置孔１６ａ、１６ａ、・・・に配置された撮影レンズや発光部等が使用可能な状態とされる。
【０１０２】
次に、蓋体９の開放位置から閉塞位置への動作について説明する（図１４乃至図１７参照）。
【０１０３】
蓋体９が開放位置に保持されている状態において、蓋体９の押圧操作部２８ａが下方へ押圧されると、蓋体９が第２の付勢バネ３２の付勢力に抗してスライドベース８に対してスライドされ下方へ移動される（図１４及び図１５参照）。蓋体９のスライドベース８に対する移動は、被支持ピン２７ａ、２７ａ、・・・がスライドベース８の案内孔１３ａ、１４ａに案内されて行われる。
【０１０４】
蓋体９の下方への移動により、カム係合部２９ａがカム溝１８を第１の下側傾斜部２１の上端部、即ち、下側ロック部２１ａから第２の下側傾斜部２２の下端部まで摺動される。
【０１０５】
カム係合部２９ａが第２の下側傾斜部２２の下端部まで摺動されたときには、押圧操作部２８ａが外筐２のフロントキャビネット４に形成された配置用開口４ａの下端部に位置されており、これ以上押圧操作部２８ａを下方へ押圧することができない状態とされている。
【０１０６】
続いて蓋体９の押圧操作部２８ａに対する下方への押圧が解除されると、蓋体９が第２の付勢バネ３２の付勢力によってスライドベース８に対してスライドされ上方へ移動される（図１６及び図１７参照）。
【０１０７】
蓋体９が上方へ移動されたときには、押圧操作部２８ａは被開閉部１６の操作用凹部１６ｂに沿って上方へ移動されていき、蓋体９の上方への移動に伴って連結軸２６ｂ、２６ｂがベース面部１２の支持孔１２ａ、１２ａに案内され上方へ移動されていく。従って、回動アーム３０、３１が支持ピン１２ｂ、１２ｂを支点として同期して回動される。
【０１０８】
蓋体９が上方へ移動されていくと、カム係合部２９ａがカム溝１８を第２の下側傾斜部２２の下端部から第２の垂直部２３及び第２の上側傾斜部２４を経て第１の上側傾斜部１９の上端部まで摺動され、上側ロック部１９ａにロックされる。従って、蓋体９は傾斜位置まで移動される。
【０１０９】
蓋体９が傾斜位置まで移動されたときには、蓋体９はこれ以上上方へ移動不能な状態とされており、スライドベース８及び蓋体９が一体となってチルトベース７に対して支持軸１１ａ、１１ａを支点として第１の付勢バネ２５の付勢力によって回動（傾動）される。従って、スライドベース８と蓋体９がそれぞれ初期位置と閉塞位置に保持される（図１及び図５参照）。
【０１１０】
蓋体９が閉塞位置に保持された状態においては、連結軸２６ｂ、２６ｂが支持孔１２ａ、１２ａの上端に係合されている。従って、連結軸２６ｂ、２６ｂに連結された回動アーム３０、３１はＶ字状を為すように保持される（図６参照）。
【０１１１】
蓋体９が閉塞位置に保持された状態においては、被開閉部１６が閉塞され配置孔１６ａ、１６ａ、・・・に配置された撮影レンズや発光部等が使用不能な状態とされる。
【０１１２】
以上に記載した通り、撮像装置１にあっては、蓋体９が閉塞位置から開放位置へ移動されて外筐２の内部に収納されるため、蓋体９とスライドベース８の間に外筐２の前面部が存在せず、蓋体９の動作の円滑化を図ることができる。
【０１１３】
また、蓋体９の開放位置と閉塞位置の間での移動を常に押圧操作部２８ａに対する一方向への押圧操作によって行うことができるため、押圧操作に関し良好な操作性を確保することができる。
【０１１４】
さらに、外筐２の前面側において蓋体９がスライドされないため、外筐２の前面から前方へ突出された部分が存在せず、撮像装置１の良好なデザイン性を確保することができる。
【０１１５】
また、蓋体９は閉塞位置から傾斜位置まで傾動された後に、フロントキャビネット４の前面部における内面に略沿って移動されて外筐２の内部に収納されるため、外筐２の内部における蓋体９の収納空間が最低限の大きさで済み、撮像装置１の小型化を図ることができる。
【０１１６】
さらにまた、蓋体９を開放位置から閉塞位置へ向けて付勢する第２の付勢バネ３２の弾力をスライドベース８及び蓋体９を付勢する第１の付勢バネ２５の弾力より大きくしている。従って、簡素な機構により、スライドベース８及び蓋体９の傾動動作の後に蓋体９のスライド動作を確実に行うことができる。
【０１１７】
また、スライドベース８と蓋体９を連結しそれぞれスライドベース８に回動自在に支持され互いに連結された回動アーム３０、３１を設けている。従って、押圧操作部２８ａが蓋体９の左右方向における何れの位置に形成されていても、押圧操作部２８ａに対する押圧力が回動アーム３０、３１に均等にかかり易く、スライドベース８及び蓋体９の円滑な動作を確保することができる。
【０１１８】
加えて、撮像装置１にあっては、チルトベース７とスライドベース８と蓋体９が設けられ、互いに回動可能に連結された回動アーム３０、３１がスライドベース８に回動自在に支持され、第１の付勢バネ２５及び第２の付勢バネ３２が設けられた構成とされている。従って、簡素な機構によってスライドベース８及び蓋体９の動作を円滑かつ確実に行うことができる。
【０１１９】
尚、蓋体９が閉塞位置に保持されている状態において、押圧操作部２８ａを押圧操作したときには、押圧操作した指が被開閉部１６に形成された操作用凹部１６ｂに挿入されて案内される。また、蓋体９が開放位置に保持されている状態において、押圧操作部２８ａを押圧操作するときには、指を被開閉部１６に形成された操作用凹部１６ｂに挿入した状態で操作することができる。
【０１２０】
従って、被開閉部１６に形成された操作用凹部１６ｂによって、押圧操作部２８ａに対する押圧操作時における良好な操作性を確保することができる。
【０１２１】
また、撮像装置１にあっては、カム溝１８に摺動自在に係合されるカムアーム２９のカム係合部２９ａが、カム溝１８の上側ロック部１９ａ又は下側ロック部２１ａに係合されて蓋体９を閉塞位置又は開放位置にロックするための被ロック部として機能する。
【０１２２】
従って、蓋体９を閉塞位置又は開放位置にロックするための専用の被ロック部を別に設ける必要がなく、部品点数の削減及び機構の簡素化を図ることができる。
【０１２３】
尚、上記には、二つの回動アーム３０、３１を設けた例を示したが、回動アームの数は二つに限られることはなく、三つ以上であってもよい。
【０１２４】
また、上記には、蓋体９によって開閉される対象が撮影レンズや発光部等である場合を例として示したが、蓋体９によって開閉される対象は、例えば、液晶パネル等の表示部、釦や摘子等の操作部、コネクター等の接続端子部、記録ディスクやメモリーカード等の記録媒体等の挿入部等であってもよい。
【０１２５】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１２６】
【図１】図２乃至図１７と共に本発明の実施の形態を示すものであり、本図は、撮像装置を示す概略斜視図である。
【図２】撮像装置の分解斜視図である。
【図３】開閉機構の分解斜視図である。
【図４】カム溝の形状を示す拡大斜視図である。
【図５】図６乃至図１７と共に開閉機構の動作を示すものであり、本図は、蓋体が閉塞位置にある状態を示す開閉機構の側面図である。
【図６】蓋体が閉塞位置にある状態において、回動アームの状態を示す拡大斜視図である。
【図７】図８乃至図１３と共に蓋体が閉塞位置から開放位置へ移動されるときの動作を示すものであり、本図は、蓋体が傾斜位置まで傾動された状態を示す概略斜視図である。
【図８】スライドベースと蓋体がそれぞれ傾動位置と傾斜位置まで傾動された状態を示す開閉機構の側面図である。
【図９】蓋体が再下端までスライドされた状態を示す概略斜視図である。
【図１０】蓋体が再下端までスライドされた状態を示す開閉機構の側面図である。
【図１１】蓋体が開放位置に保持された状態を示す概略斜視図である。
【図１２】蓋体が開放位置に保持された状態を示す開閉機構の側面図である。
【図１３】蓋体が開放位置にある状態において、回動アームの状態を示す拡大斜視図である。
【図１４】図１５乃至図１７と共に蓋体が開放位置から閉塞位置へ移動されるときの動作を示すものであり、本図は、蓋体が再下端までスライドされた状態を示す概略斜視図である。
【図１５】蓋体が再下端までスライドされた状態を示す開閉機構の側面図である。
【図１６】蓋体が傾斜位置までスライドされた状態を示す概略斜視図である。
【図１７】蓋体が傾斜位置までスライドされた状態を示す開閉機構の側面図である。
【符号の説明】
【０１２７】
１…撮像装置、２…外筐、６…開閉機構、７…チルトベース、８…スライドベース、９…蓋体、１６ｂ…操作用凹部、１８…カム溝、１９ａ…上側ロック部、２１ａ…下側ロック部、２５…第１の付勢バネ、２８ａ…押圧操作部、２９…カムアーム、２９ａ…カム係合部（被ロック部）、３０…回動アーム、３１…回動アーム、３２…第２の付勢バネ
【図１】
2011007944.tif 000003
【図２】
2011007944.tif 000004
【図３】
2011007944.tif 000005
【図４】
2011007944.tif 000006
【図５】
2011007944.tif 000007
【図６】
2011007944.tif 000008
【図７】
2011007944.tif 000009
【図８】
2011007944.tif 000010
【図９】
2011007944.tif 000011
【図１０】
2011007944.tif 000012
【図１１】
2011007944.tif 000013
【図１２】
2011007944.tif 000014
【図１３】
2011007944.tif 000015
【図１４】
2011007944.tif 000016
【図１５】
2011007944.tif 000017
【図１６】
2011007944.tif 000018
【図１７】
2011007944.tif 000019